(57)【要約】【課題】  ポンプ吐出圧の反力によって水中ポンプ１と着脱スタンド４の隙間より漏水が発生するのを防ぎ、且つ、着脱が容易である水中ポンプ１の着脱装置を提供する。【解決手段】  水中ポンプ１の吐出側に配設した着脱フランジ５の斜め上方左右対称に鉤状の拡開部を有する係止具１２を設けるとともに、着脱スタンド４の吸込側に楔状の当接座１８を有する係止環１３を形成し、係止具１２を係止環１３と平行に左右および上下方向に連続して形成させたことで、水中ポンプ１の吐出圧の反力によって水中ポンプ１の下方が開き、着脱フランジ５と係止環１３の隙間から漏水が発生することを防止できる。【選択図】図１
2020012438.tif 000002
【特許請求の範囲】
【請求項１】
鉤状の係止具（１２）を有する水中ポンプ（１）をガイドレール（１０）に沿って昇降させ、吸込槽に設置した着脱スタンド（４）の係止環（１３）に着脱自在に係止する水中ポンプの着脱装置において、
着脱スタンド（４）の係止環（１３）に楔状に形成された当接座（１８）と、
係止具（１２）の拡開部に当接座（１８）と対向する摺接部（１６）と、を備えるとともに、
係止具（１２）は水中ポンプ（１）の着脱フランジ（５）の斜め上方左右対称に設けられ、所定の区間に亘って左右および上下方向に連続的に形成する
ことを特徴する水中ポンプの着脱装置
【請求項２】
前記係止具（１２）に補強材（１１、１５）を付設し、
補強材（１１）にガイドレール（１０）に対応する半円状の開口部を形成した
ことを特徴とする請求項１に記載の水中ポンプの着脱装置
【発明の詳細な説明】
【技術分野】
【０００１】
本発明は、着脱構造を有する水中ポンプ関して、係止具をフランジの上部斜め方向に
左右２箇所設けて、係止具の支点が上下方向に連続的に形成するように配置したことで水中ポンプと揚水管の水密性を高めることができる水中ポンプの着脱装置に関する。
【背景技術】
【０００２】
従来、地下式排水機場の暗渠等に水中ポンプを設置する場合、水中ポンプは搬入用の開口部から地下へ向かって立設されたガイドレールに案内されて、地下に設置された揚水管と連結される。その際、水中ポンプのフランジ上部１箇所に設けられた係止具と揚水管のフランジとを連結する水中ポンプの着脱装置は一般的に知られている。
【０００３】
また、水中ポンプ駆動時に、水中ポンプとエルボー管の間に位置する案内部材の環状部とエルボー管のフランジとの間に漏水が発生するのを防止するための構造として、案内部材の板体部の左右両側方下方に、支持棒に係止するための突出部が設けられている水中ポンプの着脱装置が特許文献１に開示されている。
【０００４】
さらに、水中ポンプと揚水装置のフランジ面の液密を保つために、水中ポンプと揚水装置の連結部における支点を水中ポンプ吐出圧によるフランジ面への荷重の中心線付近に位置させたことを特徴とする、水中ポンプの着脱装置が特許文献２に開示されている。
【先行技術文献】
【特許文献】
【０００５】
【特許文献１】特許第４０８１０８５号公報
【特許文献２】実開昭５７−１３６９００号公報
【発明の概要】
【発明が解決しようとする課題】
【０００６】
従来の水中ポンプの着脱装置は、水中ポンプのフランジ上部１箇所の係止具を揚水管のフランジに引っ掛けるだけの構成となっているため、揚水管に対する水中ポンプの支持箇所が１点であることから、吐出圧の反力によって水中ポンプは係止具を支点に回動するため水密性が低いという課題を有する。
【０００７】
特許文献１の水中ポンプの着脱装置は、係止具をフランジの斜め上方２箇所に設けたことで１箇所のみ係止具を設けた従来の技術と比べて、複数箇所で水中ポンプを支持しているため、水中ポンプと揚水管のフランジ面の水密性が高くなる。しかし、係止具の当接箇所が水平に構成され、且つフランジの中心部から係止具までの距離が従来の技術と同様であるため係止具に作用するモーメントも同様である。そのため、吐出圧の反力によって水中ポンプは当接部を支点に回動しやすくなる。
【０００８】
特許文献２の水中ポンプの着脱装置は、係止具をフランジ面の中心部付近に設けていることでモーメントが小さくなり、吐出圧の反力によって水中ポンプが係止具を支点に回動しにくくなるものである。なお、詳細は不明であるが、係止具の支点Ａは水平に線接触していると推測できる。この場合、支点Ａがフランジ面の中心部より下方であれば問題ないが、わずかでも上方に位置していると吐出圧の反力によりフランジ面が開く。
また、正面図は不明であるが、側断面図からはフランジのくさび状の開口部が頂部に位置しており、揚水装置のフランジも下方へ向かうほどに末広がり形状となるため、両装置のフランジが大きく重くなる。
【０００９】
本発明は、従来の装置が有する問題点を解決するためになされたものであり、ポンプ吐出圧の反力によって水中ポンプと着脱スタンドを連結するフランジの隙間より漏水が発生するのを防ぎ、且つ、着脱が容易である水中ポンプの着脱装置を提供する。
【課題を解決するための手段】
【００１０】
本発明は、鉤状の拡開部を有する水中ポンプをガイドレールに沿って昇降させ、吸込槽に設置した着脱スタンドの係止環に着脱自在に係止する水中ポンプの着脱装置において、着脱スタンドの係止環に楔状に形成された当接座と、拡開部に当接座と対向する摺接部を有し、水中ポンプの着脱フランジの斜め上方左右対称に設けられ、所定の区間に亘って左右および上下方向に連続的に形成された係止具と、を備えたもので、容易に着脱可能であるとともに、水中ポンプの自重により強固に係合させることができる。また、水中ポンプの吐出圧の反力による開モーメントの荷重を上下方向に連続的に形成された係合部で受けることで、水中ポンプの下方が開いて、着脱フランジと係止環の隙間から漏水が発生するのを防ぐことができる。
【００１１】
係止具に補強材を付設し、補強材にガイドレールに対応する半円状の開口部を形成すると、開口部をガイドレールに沿って摺接させながら垂直方向に水中ポンプを昇降させることができる。なお、ガイドレールの案内具として兼用しているため、シンプルかつ軽量な構成をとることができる。
【発明の効果】
【００１２】
本発明では、水中ポンプ側の鉤状の係止具と、吐出管側の楔状の係止環で係止するため、水中ポンプを上方から着脱し易く、水中ポンプの自重により強固に水密を保つ。また、係止箇所の接触面が上下方向を含めて連続して形成されているため、水中ポンプの反力による開モーメントに対して、係止箇所の接触面の上下で逆方向の荷重が作用して水中ポンプの下方の開きを抑止する。したがって、水中ポンプと着脱スタンドの隙間から漏水がなく、送水時の運転効率が向上する。さらに、係止具の補強材をガイドレールの案内具として兼用しているため、シンプルかつ軽量である。
【図面の簡単な説明】
【００１３】
【図１】本発明に係る水中ポンプと吐出管との着脱状態を示した部分縦断面図である。
【図２】同じく、水中ポンプの側面図である。
【図３】同じく、水中ポンプの背面図である。
【図４】同じく、図３のＢ−Ｂ断面図である。
【図５】同じく、着脱スタンドの側面図および正面図である。
【図６】同じく、水中ポンプと着脱スタンド連結時の係止具の部分縦断面図である。
【図７】同じく、図１のＡ−Ａ断面図である。
【図８】本発明に係る他の実施例の水中ポンプの背面図である。
【図９】同じく、他の実施例の着脱スタンドの正面図である。
【発明を実施するための形態】
【００１４】
図１は本発明に係る水中ポンプと吐出管との着脱状態を示した側面図である。
吸込槽に設置する水中ポンプ１は、ポンプケーシング２に羽根車（図示せず）を内蔵し、ポンプケーシング２の吸込側に低水位の流水を案内する吸込カバー３と、吐出側に着脱スタンド４に装着する着脱フランジ５を配設している。
【００１５】
着脱スタンド４は吸込槽の底部に固定配設されており、吸込側のフランジは水中ポンプを係止する係止環１３で構成している。着脱スタンド４の吐出側には送水管６と連結するフランジ７を設けている。
【００１６】
ポンプケーシング２の頂壁部には吊環８を設けており、上方からチェーン等の吊設部材９の端部を吊環８に係止し、水中ポンプ１を上昇、下降させる。着脱スタンド４の上部には上方へ延出する一対のガイドレール１０を備えており、水中ポンプ１に設けた半円状の開口部を有する補強材（案内具）１１と噛み合わせることにより、水中ポンプ１を垂直に移動させることができる。水中ポンプ１の着脱フランジ５に下方を鉤状（逆Ｕ字状）に拡開した係止具１２を立設し、係止具１２に対向する位置に着脱スタンド４の係止環１３を備えているため、上方から着脱可能な構成となっている。
【００１７】
図２，３は水中ポンプの側面図および背面図である。
本実施例では水中ポンプ１として横軸水中ポンプを採用しており、ポンプケーシング２内部には図示しない水中電動機に連結した主軸により回転する羽根車を内蔵しており、吸込カバー３下方から流入する水を羽根車で加圧して着脱フランジ５より排出している。
【００１８】
ポンプケーシング２の着脱フランジ５側上部には、外環に沿って係止具１２を２か所立設している。具体的には、着脱フランジ５の斜め上方に左右対称となるよう係止具１２を設けている。それぞれの係止具１２は着脱フランジ５の側方部から上部に亘って所定の区間だけ連続的に形成されており、下方を鉤状（逆Ｕ字状）に拡開し、着脱スタンド４の係止環１３に上方から着脱自在に係止する。
【００１９】
着脱フランジ５と平行に、左右および上下方向に係止具１２が連続して形成しているため、水中ポンプ１の反力による開モーメントの荷重を上下の係合部で受け、水中ポンプ１の下方が開くことがない。
【００２０】
係止具１２は水中ポンプ１の重量や運転時のスラスト等を支える強度が必要であり、必要に応じて補強材を配設してもよい。本実施例では、それぞれの係止具１２の両端にポンプケーシング２および着脱フランジ５から立設した補強材１１，１５をそれぞれ配設しており、頂部近傍に位置する補強材１１は半円状の開口部を有してガイドレール１０の案内具を兼用している。
【００２１】
図４は図３のＢ−Ｂ断面図である。
ポンプケーシング２の上部２か所に設けられた係止具１２は、それぞれ、係止具１２の両端に補強材１１，１５を備える。係止具１２は、鉤状（逆Ｕ字状）の拡開部が下方に向くようにポンプケーシング２の上部に立設しており、着脱フランジ５の後方へ突き出している。補強材１５は図示するように係止具１２の一端に付設されており、他端に付設された補強材１１と共に係止具１２にかかる荷重をポンプケーシング２に分散させている。なお、補強材の形状、位置等は設計条件に応じて適宜決定できる。
【００２２】
係止具１２の鉤状（逆Ｕ字状）の拡開部の先端は、内周面が外側に向かって拡がる傾斜面を有する摺接部１６を備えている。
【００２３】
図５は着脱スタンドの側面図および正面図である。
着脱スタンド４は、筒状の管体１７と、管体１７の吸込側で水中ポンプ１を係止する係止環１３と、管体１７の吐出側で送水管６に連結させるためのフランジ７とで形成されている。
【００２４】
係止環１３は、水中ポンプ１の係止具１２と係合する部材であり、管路の中心付近より上方に位置する外周の周縁部を管体１７に向かって下方へ傾斜させた楔状の当接座１８を有する。当接座１８は、水中ポンプ１の摺接部１６と係合し、水中ポンプ１の自重により面同士が圧迫されて密に連結され、離れにくくなる。
【００２５】
本実施例では、吸込槽の底部に固定配設しているが、槽内に固定するための部材は必要に応じて適宜構成してよい。また、着脱スタンド４の吐出側には送水管６と連結するフランジ７を設けているが、直接吐出槽へ排出する場合はフラップ弁を設けてもよい。
【００２６】
図６は水中ポンプと着脱スタンド連結時の係止具の部分縦断面図である。
水中ポンプ１の着脱は、水中ポンプ１に設けられた係止具１２の摺接部１６を、係止環１３の当接座１８に摺接・離間させることによって行う。この時、摺接部１６、当接座１８が共に同様の傾斜面を有しているため、水中ポンプ１の自重により強固に係合させること、および容易に離間させることが可能となる。
【００２７】
係止具１２を係止させたときに係止具１２にかかる水中ポンプ１の自重によって、摺接部１６と当接座１８の面同士が密に連結するため、水中ポンプ１は係止環１３に強固に支持される。
【００２８】
図７は図１のＡ−Ａ断面図である。
水中ポンプ１は、ガイドレール１０に沿って上方から吊り降ろし、２つの係止具１２を着脱スタンド４の係止環１３に係合し、水中ポンプ１と着脱スタンド４を連結する。連結時には、左右２か所の係止具１２が着脱スタンド４の係止環１３の外環に沿って所定の区間だけ連続的に係合する。係止環１３が円環状であるため、左右だけでなく上下に亘って係合しており、水中ポンプ１の反力による開モーメントによって、水中ポンプ１の下方が開くことがない。
【００２９】
係止具１２の両端に配設した補強材のうち、頂部近傍に位置する補強材１１をガイドレール１０の案内具として用いている。案内具１１はガイドレール１０に向かって延設し、ガイドレール１０に対応する半円状の開口部を有する。水中ポンプ１の着脱時に、開口部をガイドレール１０に沿って摺接させながら垂直方向に水中ポンプ１を昇降させる。係止具１２の補強材をガイドレール１０の案内具１１として兼用しているため、シンプルかつ軽量な構成をとることができる。
【００３０】
図８は本発明に係る他の実施例の水中ポンプの背面図であり、図９は他の実施例の着脱スタンドの正面図である。
水中ポンプ１の係止具１２の摺接部１６および水中ポンプ１と係止する着脱スタンド４の係止環１３の当接座１８を斜め直線状に形成している。水中ポンプ１を上方から容易に着脱できるとともに、係止具１２が上下左右方向に連続的に摺接しているため、水中ポンプ１の開モーメントに対して下方の開きを抑止できる。
【００３１】
本発明では、これらを横軸水中ポンプに適用したものであるが、立軸渦巻ポンプ等、他の型式のポンプに適用してもよい。さらに、本発明では、係止具１２の補強材１１をガイドレール１０の案内具として用いているが、必要に応じて専用部材として用いることも可能である。
【００３２】
また、本実施例では係止具１２を円周状、直線状で形成した形態を開示しているが、係止具１２を上下左右に連続的に形成する形態であれば、本実施例に限定されない。                                                                                                                                                  
【産業上の利用可能性】
【００３３】
従来の水中ポンプと同様に上方から容易に着脱可能であり、様々な排水機場にも特別な改修工事を必要とせずに適用することができる。また、ポンプスラストで発生する回動モーメントに対抗するポンプ重量を必要としないため、ポンプ本体の軽量化が可能であり、ポンプの型式に関わらず立軸、横軸ポンプに適用可能である。
【符号の説明】
【００３４】
１  水中ポンプ
４  着脱スタンド
５  着脱フランジ
１０  ガイドレール
１１  補強材（案内具）
１２  係止具
１３  係止環
１５  補強材
１６  摺接部
１８  当接座
【図１】
2020012438.tif 000003
【図２】
2020012438.tif 000004
【図３】
2020012438.tif 000005
【図４】
2020012438.tif 000006
【図５】
2020012438.tif 000007
【図６】
2020012438.tif 000008
【図７】
2020012438.tif 000009
【図８】
2020012438.tif 000010
【図９】
2020012438.tif 000011